(57)【特許請求の範囲】
【請求項１】
外部側に透湿防水シートが設けられた壁体と、前記壁体に対向して配置された外装パネルと、前記壁体と前記外装パネルとの間に配置された胴縁と、からなる建物の外周壁構造であって、
前記胴縁は、前記外装パネルの裏面に当接する外装パネル当接片と、前記外装パネル当接片に対峙し前記壁体の前記透湿防水シートに当接する壁体当接片と、前記壁体当接片の一部が欠落して形成された欠落部と、を有し、前記外装パネル当接片を貫通し前記欠落部を経由して前記壁体当接片と干渉することなく前記壁体に螺着される第１のビスによって前記壁体に固定され、
前記外装パネルは、前記外装パネルを貫通すると共に、前記外装パネル当接片に螺着され、先端が前記壁体に到達しない第２のビスによって固定され、
前記第２のビスの長さは、前記外装パネルに対する前記第２のビスの頭部の貫入量が規定値に達した際に前記第２のビスの先端が前記壁体当接片に当接するように設定されていることを特徴とする建物の外周壁構造。
【請求項２】
前記第２のビスは、前記外装パネル当接片の前記壁体当接片に対峙する位置において螺着されることを特徴とする請求項１に記載の建物の外周壁構造。
【請求項３】
前記外装パネルは、ＡＬＣからなることを特徴とする請求項１又は２記載の建物の外周壁構造。
【請求項４】
前記外装パネル当接片には、前記欠落部に対応する位置に凹部が形成され、前記凹部内には前記第１のビスの頭部が配置されることを特徴とする請求項１〜３の何れか一項に記載の建物の外周壁構造。
【請求項５】
前記胴縁は鋼製であって、亜鉛系めっきが被覆されていることを特徴とする請求項１〜４の何れか一項に記載の建物の外周壁構造。
【発明の詳細な説明】
【技術分野】
【０００１】
本発明は、壁体に設けられた透湿防水シートと外装パネルとの間に胴縁が配置されて、壁体と外装パネルとの間の通気性を確保するようにした建物の外周壁構造に関するものである。
【背景技術】
【０００２】
従来、特許文献１、２に記載されているように、建物の外周壁にサイディング材等の外装パネルを取り付ける場合、まず壁体に透湿防水シートをステープル等を用いて貼設し、透湿防水シートの上から胴縁をビスや釘で固定し、胴縁を下地として外装材をビスや釘で固定するのが一般的である。胴縁としては、木材が一般的であり、この場合、胴縁は、透湿防水シートと外装パネルとの間の通気層の確保という機能を兼ねることが多く、通常厚さは数ミリから十数ミリの範囲であり、外装パネルの出寸法を抑える為にもあまり厚い胴縁を使用することはない。
【先行技術文献】
【特許文献】
【０００３】
【特許文献１】特開２００４−１７６３２１号公報
【特許文献２】特開２００５−３３６８２３号公報
【発明の概要】
【発明が解決しようとする課題】
【０００４】
しかし、上記の通り、厚みが充分に確保されることがないので、通気性を確保するために利用される胴縁を固定するためのビスは勿論のこと、外装パネルを固定するためのビスも胴縁及び透湿防水シートを貫通するのが一般的であり、この結果として、胴縁の裏面部分の透湿防水シートに多くの貫通孔が形成されることになり、防水性能上好ましい状態とは言い難いものであった。
【０００５】
本発明は、ビスによって透湿防水シートに形成される貫通孔を極力減らし、防水性能の低下を防止するようにした建物の外周壁構造を提供することを目的とする。
【課題を解決するための手段】
【０００６】
本発明は、外部側に透湿防水シートが設けられた壁体と、壁体に対向して配置された外装パネルと、壁体と外装パネルとの間に配置された胴縁と、からなる建物の外周壁構造であって、胴縁は、外装パネルの裏面に当接する外装パネル当接片と、外装パネル当接片に対峙し壁体の透湿防水シートに当接する壁体当接片と、壁体当接片の一部が欠落して形成された欠落部と、を有し、外装パネル当接片を貫通し欠落部を経由して壁体当接片と干渉することなく壁体に螺着される第１のビスによって壁体に固定され、外装パネルは、外装パネルを貫通すると共に、外装パネル当接片に螺着され、先端が壁体に到達しない第２のビスによって固定され、第２のビスの長さは、外装パネルに対する第２のビスの頭部の貫入量が規定値に達した際に第２のビスの先端が壁体当接片に当接するように設定されていることを特徴とする。
【０００７】
この建物の外周壁構造においては、第１のビスは、胴縁の欠落部を挿通して壁体に螺着されるが、透湿防水シートに対する外装パネル固定用の第２のビスの貫通が、胴縁の壁体当接片によって阻止されるので、第２のビスによって透湿防水シートに貫通孔が形成されることがなく、透湿防水シートの防水性能の低下を抑制することができる。また、第２のビスの長さは、外装パネルに対する第２のビスの頭部の貫入量が規定値に達した際に第２のビスの先端が壁体当接片に当接するように設定されているので、第２のビスのねじ込み作業において、第２のビスの頭部の貫入量が規定値に達した時点で第２のビスの先端が壁体当接片に当接するので、外装パネルへの第２のビスの頭部の貫入量の管理を容易に行うことができ、外装パネルに第２のビスの頭部を常に一定の深さで埋設させることができる。
【０００８】
第２のビスは、外装パネル当接片の壁体当接片に対峙する位置において螺着されると好適である。
このような構成によれば、第２のビスのねじ込み作業において、第２のビスの先端が壁体当接片に当たると、その際の抵抗が作業者の手に伝わる。この時点でねじ込み作業を終了することにより、第２のビスが不用意に透湿防水シートまで達してしまう事態を容易に回避させることができる。
【００１０】
また、上記構成は、外装パネルがＡＬＣからなる場合に特に好適である。
ＡＬＣからなる外装パネルをビス固定する際のビスの貫入量は、補修材を適度に充填する為にビスの頭部がある程度埋没するように、且つ、脱落を防止する為にビスの頭部が外装パネルの内部に予め配置された補強用の鉄筋或いは金網を越えないように設定するのが好ましいが、電動ドライバでビスのねじ込み作業を行うと、素材の特性上ビスを過度に貫入させてしまいがちで貫入量の管理が難しい。このような特性を有するパネルに本発明の外周壁構造を適用することによって、ビスの貫入量の制限を容易に行うことができる。
【００１１】
また、外装パネル当接片には、欠落部に対応する位置に凹部が形成され、凹部内には第１のビスの頭部が配置されると好適である。
このような構成によれば、欠落部に対応する位置に凹部が形成されているので、第１のビスを壁体に螺着する際には、第１のビスを確実に欠落部を経由させることができ（すなわち、第１のビスが壁体当接片を貫通することが回避でき）、第１のビスのねじ込み作業の際の作業負荷を軽減させることができる。
【００１２】
また、胴縁は亜鉛系めっきが被覆された鋼製であると好適である。ここでいう亜鉛系めっきとは、亜鉛めっきまたは亜鉛を主成分とした合金めっきのことを指す。胴縁は外装材の内側に取り付けられるとはいえ、実質的に屋外と同等の過酷な環境にさらされる。その点、亜鉛系めっきが施された鋼製胴縁は耐食性に優れ、高温多湿の環境下であっても長期間にわたって品質を維持できる。特に、胴縁に対するビスの貫通あるいは当接によって、めっきの一部が剥離し鋼の表面が露出した場合であっても、亜鉛または亜鉛合金の犠牲陽極作用によって、胴縁の腐食進行を遅らせることができる。また、亜鉛にアルミニウム、マグネシウム、シリコンを添加した亜鉛合金めっきを施せば、極めて高レベルの耐食性が得られ、胴縁の製品寿命が飛躍的に向上する。
【発明の効果】
【００１３】
本発明によれば、ビスによって透湿防水シートに形成される貫通孔を極力減らし、防水性能の低下を防止することができる。
【図面の簡単な説明】
【００１４】
【図１】本発明に係る建物の外周壁構造の一実施形態を示す斜視図である。
【図２】胴縁を示す斜視図である。
【図３】他の胴縁を示す斜視図である。
【図４】外周壁構造の水平方向における断面図である。
【図５】図４のＶ−Ｖ線に沿う断面図である。
【図６】本発明に係る建物の外周壁構造の要部拡大断面図である。
【発明を実施するための形態】
【００１５】
以下、図面を参照しつつ本発明に係る建物の外周壁構造の好適な実施形態について詳細に説明する。
【００１６】
図１に示すように、建物の外周壁１は、外部側表面に透湿防水シート２が貼設された壁体３と、壁体３所定のピッチで壁体３に取り付けられた胴縁６，２１と、胴縁６，２１に取り付けられた外装パネル４と、によって構成されている。
【００１７】
布基礎７上に立設される壁体３は、壁式構造において荷重の支持や地震力等の外力に対抗する要素として有効な構造壁として機能するものである。壁体３の構成は、基礎７上に配置される枠体１０と、この枠体１０の建物内部側に固定される内装材１１と、枠体１０の建物外部側でビス９(図６参照)によって枠体１０の縦枠材１０ｂに固定される構造用面材１２と、この構造用面材１２に貼設される板状断熱材１３と、この断熱材１３に貼設される透湿防水シート２とからなる。
【００１８】
枠体１０は、布基礎７の上面に載置されるコ字断面の形鋼からなる下枠材１０ａと、下枠材１０ａの上に起立状態で載置され所定のピッチで固着される複数のＣ字断面の形鋼からなる縦枠材１０ｂと、複数の縦枠材１０ｂの上端を連結するコ字断面の形鋼からなる上枠材(不図示)と、からなる。また、内装材１１は、２枚の石膏ボード１１ａ，１１ｂが重ね貼りされて構成されている。
【００１９】
構造用面材１２は、構造用合板等からなり、板状断熱材１３は、フェノール樹脂、ポリスチレン樹脂等の合成樹脂発泡体を板状に成形したものである。そして、透湿防水シート２は、微細な孔を有し、室内側の湿気（水蒸気）は透過させて室外に放出し、雨水等の水は透過させないで外部から雨水の浸入を防止するシートである。
【００２０】
図１〜図３に示すように、胴縁６は、外装パネル４を壁体３に取り付ける際の下地材としての機能と、透湿防水シート２と外装パネル４との間に通気層Ｓ(図６参照)を確保する機能とを有するもので、断面略Ｃ字状の長尺の鋼材からなり、外装パネル４の中間部に位置するように、所定のピッチ（４５５ｍｍ）で縦方向に配列されている。
【００２１】
胴縁６は、外装パネル４の裏面に当接する外装パネル当接片１６と、外装パネル当接片１６に対して平行に延在して、外装パネル当接片１６に対峙すると共に、壁体３の透湿防水シート２に当接する壁体当接片１７と、壁体当接片１７の一方の外端部と外装パネル当接片１６の一端部とを連結する第１の連結片１８ａと、壁体当接片１７の他方の外端部と外装パネル当接片１６の他端部とを連結する第２の連結片１８ｂと、からなる。
【００２２】
壁体当接片１７は、左右一対の壁体当接片１７ａ，１７ｂからなり、一対の壁体当接片１７ａ，１７ｂの間には、壁体当接片１７の一部が欠落して長手方向に延在する欠落部１９が設けられ、この欠落部１９によって、壁体当接片１７ａと壁体当接片１７ｂとが離間させられている。そして、外装パネル当接片１６には、欠落部１９に対応する位置に凹部２０が形成されている。凹部２０は、長手方向に延在すると共に、後述する第１のビス３０の皿状の頭部３０ａに対応した台形の断面形状を有しており、第１のビス３０を完全にねじ込んだ際に頭部３０ａ全体が埋没して外装パネル当接片１６の表面から突出することがないように形成されている。
【００２３】
図４〜図６に示すように、胴縁６は、凹部２０の幅方向の中心にねじ込まれた第１のビス３０が枠体１０の縦枠材１０ｂに螺着されることによって壁体３に固定される。なお、凹部２０は胴縁６の長手方向に延在しているので、第１のビス３０をねじ込む場合、高さ方法については任意の位置とすることができる。第１のビス３０の頭部３０ａは、凹部２０内に埋没して外装パネル当接片１６の表面から突出しないので、外装パネル当接片１６表面に外装パネル４の裏面を確実に当接させることができる。また、凹部２０は欠落部１９に対応した位置にあり、第１のビス３０を縦枠材１０ｂに螺着する際には、第１のビス３０を確実に欠落部１９を経由させることができ（すなわち、第１のビス３０が壁体当接片１７ａ，１７ｂを貫通することが回避でき）、第１のビス３０のねじ込み作業の際の作業負荷を軽減させることができる。
【００２４】
一方、胴縁２１は、隣接する外装パネル４同士の継ぎ目に２枚の外装パネル４を跨ぐように配置されるもので、基本構成は胴縁６と同一であるが、外装パネル４の当接しろを充分確保するために、外装パネル当接片１６Ａの幅が広げられており、図４に示すように第１のビス３０の頭部３０ａが収容される２本の凹部２２ａ，２２ｂが並置されている点のみが胴縁６とは異なる。そして、これら凹部２２ａ，２２ｂに対応する位置に欠落部１９Ａが形成されている。
【００２５】
外装パネル４はＡＬＣからなり、長さ１８００ｍｍ、幅６００ｍｍ、厚さ３７ｍｍの長尺の板状部材である。外装パネル４は、長辺を水平方向に延在させた状態（横貼り状態）で、下方の外装パネル４の上端面と上方の外装パネル４の下端面が接触するように、即ち、下方の外装パネル４に上方の外装パネル４が積み上げられた状態で、胴縁６，２１を下地として第２のビス３３，３４，３５によって固定されている。
【００２６】
図６に示すように、第２のビス３３は、外装パネル４の表面側から電動ドライバによってねじ込まれ、外装パネル４を貫通した後、外装パネル当接片１６に螺着される。この第２のビス３３の長さは、外装パネル４に対する第２のビス３３の頭部３３ａの貫入量Ｌが規定値に達した際に第２のビス３３の先端が壁体当接片１７ａに当接するように設定されている。
【００２７】
第２のビス３３のねじ込み作業の際に、外装パネル４に頭部３３ａによって形成された凹状の補修材充填部３６には、補修材Ｐが充填されている。補修材Ｐは、ＡＬＣと略同一の組成を有するペースト状の材料であり、硬化後は基材と一体化し基材であるＡＬＣと同等の耐火性能が得られる。
【００２８】
第２のビス３３のねじ込み作業において、頭部３３ａの貫入量Ｌが規定値に達し第２のビス３３の先端が壁体当接片１７ａに当接すると、その際の抵抗が電動ドライバを介して作業者の手に伝わる。この時点でねじ込み作業を終了させることにより、外装パネル４への第２のビス３３の頭部３３ａの貫入量Ｌの管理を容易に行うことができ、第２のビス３３が透湿防水シート２を貫通しすることが防止できるとともに、外装パネル４に第２のビス３３の頭部３３ａを常に一定の深さで埋設させることができる。
【００２９】
外装パネル４がＡＬＣからなる場合は、このような構成による効果が特に高い。すなわち、ＡＬＣからなる外装パネル４を第２のビス３３で固定する際の第２のビス３３の貫入量Ｌは、補修材を補修材充填部３６に適度に充填する為に頭部３３ａがある程度埋没するように、且つ、脱落を防止する為に頭部３３ａが外装パネル４の内部に予め配置された補強用の鉄筋或いは金網を越えないように設定するのが好ましいが（貫入量Ｌの規定値はこのような観点で設定される）、電動ドライバで第２のビス３３のねじ込み作業を行うと、素材の特性上第２のビス３３を過度に貫入させてしまいがちで貫入量の管理が難しい。このような特性を有する外装パネルに本発明の外周壁構造を適用することによって、第２のビス３３の貫入量Ｌの制限を容易に行うことができる。
【００３０】
上記のようにして壁体３に取り付けられた外装パネル４の目地部には、湿式シーリング材が充填された上で、表面に吹き付け塗装がなされて仕上げられる。
【００３１】
この建物の外周壁構造においては、第１のビス３０は、胴縁６，２１の欠落部１９，１９Ａを通過して壁体３に螺着されるが、透湿防水シート２に対する外装パネル固定用の第２のビス３３の貫通が、胴縁６，２１の壁体当接片１７ａ，１７ｂによって阻止されるので、第２のビス３３によって透湿防水シート２に貫通孔が形成されることがなく、透湿防水シート２の防水性能の低下を抑制することができる。電動ドライバでビスのねじ込み作業を行うとき、第２のビス３３の先端が壁体当接片１７ａ，１７ｂに当たると、その際の抵抗が作業者の手に伝わるので、第２のビス３３のねじ込み作業の終了時期を知ることができ、第２のビス３３が不用意に透湿防水シート２まで達してしまう事態を容易に回避させることができる。また、胴縁６，２１は、中空になっているので、胴縁６，２１の内部を通気路として機能させることができる。
【００３２】
本発明は、前述した実施形態に限定されないことは言うまでもない。例えば、欠落部１９，１９Ａは、長手方向に延在したものに限らず、等ピッチの開口であってもよい。
また、外装パネル当接片に形成される凹部は、長手方向に延在したものに限らず、所定のピッチで点在したものであってもよい。この場合、凹部の底面には予め第１のビスを挿通する為の孔を穿設しておくのが好ましい。
また、胴縁の断面形状は、例えば略「エ」字状であってもよい、この場合、対峙する２つの片のうち短い片が壁体当接片、長い片が外装パネル当接片であり、第１のビスは外装パネル当接片における壁体当接片の端縁より外側に延伸した部分を貫通し、第２のビスは第１のビスよりも内側の外装パネル当接片と壁体当接片とが重なっている部分を貫通するように構成される。
【符号の説明】
【００３３】
２…透湿防水シート、３…壁体、４…外装パネル、６，２１…胴縁、１６，１６Ａ…外装パネル当接片、１７…壁体当接片、１９，１９Ａ…欠落部、２０，２２ａ，２２ｂ…凹部、３０…第１のビス、３３…第２のビス、３６…補修材充填部、Ｐ…補修材、Ｌ…貫入量。
【図１】
0005595800.tif 000002
【図２】
0005595800.tif 000003
【図３】
0005595800.tif 000004
【図４】
0005595800.tif 000005
【図５】
0005595800.tif 000006
【図６】
0005595800.tif 000007